(57)【要約】【課題】アダプタを使用しないでも複数の工具を出力部に取り付けることのできる汎用性の高い電動工具を提供する。【解決手段】複数の工具取付部２を切替え可能にして備えた出力部３と、伝達機構４を介して出力部３を駆動させるモータ５と、切替え操作部６を有してこの操作にて使用する一の工具取付部２を選択して切り替える切替え機構７とを有する。【選択図】図１
2008155334.tif 000002
【特許請求の範囲】
【請求項１】
複数の工具取付部を切替え可能にして備えた出力部と、伝達機構を介して出力部を駆動させるモータと、切替え操作部を有してこの操作にて使用する一の工具取付部を選択して切り替える切替え機構とを有して成ることを特徴とする電動工具。
【請求項２】
出力部に備えた複数の工具取付部を第１の工具取付部と第２の工具取付部とで構成し、第１の工具取付部を出力部の先端部位に形成し、第２の工具取付部を第１の工具取付部の内部にその先端から突没自在にして配置して成ることを特徴とする請求項１記載の電動工具。
【請求項３】
切替え機構の切替え操作部を設けた電動工具本体に、伝達機構及び出力部を同軸上に配設し、切替え操作部の操作に応じてスライドする連動棒を伝達機構の中央を貫通させて上記軸線上に配置し、連動棒の先端を第２の工具取付部に連結したことを特徴とする請求項２記載の電動工具。
【請求項４】
切替え機構に、切替え操作部の操作による工具取付部の切替えに伴って伝達機構の減速比を切替える減速比切替え部を設けたことを特徴とする請求項１乃至３のいずれか一項に記載の電動工具。
【請求項５】
出力部に、内部への塵埃の侵入を防止する塵埃浸入防止手段を備えたことを特徴とする請求項１乃至４のいずれか一項に記載の電動工具。
【発明の詳細な説明】
【技術分野】
【０００１】
本発明は、電動工具に関し、詳しくは、出力部に設けた複数の工具取付部を切替える技術に関するものである。
【背景技術】
【０００２】
従来から、電動工具はその出力部に設けた工具取付部に対して工具を取り付けて使用されるのであるが（たとえば特許文献１参照）、使用する工具には用途に応じて様々な大きさ・種類があり、出力部への取り付けは到底一の工具取付部で行うことなどできず、電動工具とは別体のアダプタを介して工具を出力部に取り付けねばならないことが往々にしてある。
【０００３】
しかしながら、施工現場で、電動工具に適宜使用する複数の工具のみならず、工具に応じたアダプタも持ち歩かねばならないことは、煩雑であって作業性を悪くしている。また、アダプタを介して出力部に工具を取り付けることは、工具取付部に対してアダプタを取り付けると共にこのアダプタに対して工具を取り付けねばならず、取り付け作業が面倒であるばかりか、各取付部分でガタツキが生じ易くて良好な仕上がりを阻害することもあった。
【特許文献１】特開２００２−２１０６７１号公報
【発明の開示】
【発明が解決しようとする課題】
【０００４】
本発明は上記の点に鑑みてなされたものであり、その目的とするところは、アダプタを使用しないでも複数の工具を出力部に取り付けることのできる汎用性の高い電動工具を提供することを課題とするものである。
【課題を解決するための手段】
【０００５】
上記課題を解決するために請求項１に係る電動工具にあっては、複数の工具取付部２を切替え可能にして備えた出力部３と、伝達機構４を介して出力部３を駆動させるモータ５と、切替え操作部６を有してこの操作にて使用する一の工具取付部２を選択して切り替える切替え機構７とを有して成ることを特徴とする。これによると、切替え機構７によって使用する工具に応じた工具取付部２を複数のうちから選択して出力部３に備えることができる。つまり、アダプタを使用しないでも複数の工具を出力部３に取り付けることができたので、施工作業を容易にすると共に、良好な施工仕上がりを期待できる。
【０００６】
また、請求項２に係る電動工具にあっては、請求項１において、出力部３に備えた複数の工具取付部２を第１の工具取付部２ａと第２の工具取付部２ｂとで構成し、第１の工具取付部２ａを出力部３の先端部位に形成し、第２の工具取付部２ｂを第１の工具取付部２ａの内部にその先端から突没自在にして配置して成ることを特徴とする。これによると、簡易な機構で、複数の工具取付部２（第１の工具取付部２ａと第２の工具取付部２ｂ）を切り替え可能に出力部３に備えることができる。
【０００７】
また、請求項３に係る電動工具にあっては、請求項２において、切替え機構７の切替え操作部６を設けた電動工具本体１０に、伝達機構４及び出力部３を同軸上に配設し、切替え操作部６の操作に応じてスライドする連動棒８を伝達機構４の中央を貫通させて上記軸線上に配置し、連動棒８の先端を第２の工具取付部２ｂに連結したことを特徴とする。これによると、簡易な機構で、第１の工具取付部２ａと第２の工具取付部２ｂとを切り替え可能にできる。
【０００８】
また、請求項４に係る電動工具にあっては、請求項１乃至３のいずれか一項において、切替え機構７に、切替え操作部６の操作による工具取付部２の切替えに伴って伝達機構４の減速比を切替える減速比切替え部９を設けたことを特徴とする。これによると、切替え機構７に備えた減速比切替え部９によって、切替え機構７によって選択した工具取付部２に応じて自動的に伝達機構４の減速比を切り替えることができ、使用する工具に応じた出力部３の適正出力を確保することができる。
【０００９】
また、請求項５に係る電動工具にあっては、請求項１乃至４のいずれか一項において、出力部３に、内部への塵埃の侵入を防止する塵埃浸入防止手段を備えたことを特徴とする。これによると、塵埃による出力部３の動作（工具取付部２の切替動作）の不具合を回避することができる。
【発明の効果】
【００１０】
本発明にあっては、アダプタを使用しないでも複数の工具を出力部に取り付けることができる、という利点を有する。
【発明を実施するための最良の形態】
【００１１】
以下、本発明を添付図面に示す実施形態に基いて説明する。
【００１２】
本例の電動工具１は、図２のように、電動工具本体１０から突設した把持部１１を有した手持ち式電動工具１であって、いわゆるインパクト回転工具である。インパクト回転工具は、ねじ類を締め付け又は緩める際に一定以上の荷重が生じた場合に、打撃を行うことで強大なトルクを発生させてその作業性の向上を図ったものである。
【００１３】
電動工具本体１０はシリンダ形状に施されており、その軸方向に沿って後端側からモータ５、伝達機構４、出力部３が同軸上に順に配設されている。把持部１１は、電動工具本体１０の軸から離れる方向に、電動工具本体１０から一体に突出している。把持部１１の突出根元部にはトリガー式の駆動操作杆１２が設けられ、把持部１１の突出先端部には充電式の電池パック１３が着脱自在に取り付けられる。使用者が把持部１１を握った手で駆動操作杆１２を操作することで、電池パック１３の給電によりモータ５が駆動し、モータ５の駆動出力が伝達機構４を介して出力部３に伝達され、出力部３が上記打撃を伴った出力駆動をするようになる。
【００１４】
ここで、図１のように、出力部３には第１の工具取付部２ａ及び第２の工具取付部２ｂが切替え可能にして備えられている。これら工具取付部２は切替え機構７の切替え操作部６の操作によって使用する一の工具取付部２を選択して切り替え得るようにされている。本例では、第１の工具取付部２ａは出力部３の外殻体３０の前端部位に形成され、第２の工具取付部２ｂは出力部３の外殻体３０の内部に配置されてその前端から突没される突没体３１に形成されている。なお、突没体３１は没入方向に付勢を受けるストッパバネ３２を介して外殻体３０に前方への抜け止めが施された上で内装されている。ここで、各工具取付部２は工具の角穴ソケットを外嵌できる角柱状の外形に形成されており、つまり非円形の各工具取付部２の内外重合部分で外殻体３０と突没体３１とは回転規制がされている。また、本例の切替え機構７は、電動工具本体１０に備えた切替え操作部６の操作による工具取付部２の切替えに伴って、伝達機構４の減速比を切替える減速比切替え部９を有している。
【００１５】
具体的に、伝達機構４は、モータ５の回転軸（図示せず）に噛み合う遊星歯車機構で成る第１の減速部１４、第１の減速部１４の遊星歯車１４ａを支持する駆動キャリア１５、駆動キャリア１５に従動する従動キャリア１６、従動キャリア１６に連結される出力軸１７、出力軸１７に取り付けて後述のアンビル部１９に係脱するハンマー１８、出力部３の外殻体３０に設けられたアンビル部１９を有している。なお、駆動キャリア１５と従動キャリア１６との間には第２の減速部２０が備えられ、従動キャリア１６は第２の減速部２０の遊星歯車２０ａを支持している。従動キャリア１６は、選択的に、第２の減速部２０を介して駆動キャリア１５に従動させたり、第２の減速部２０を介さず駆動キャリア１５に直接連結されて従動させることができ、つまり減速比切替え部９を構成している。
【００１６】
モータ５の回転出力は、少なくとも第１の減速部１４、駆動キャリア１５、従動キャリア１６を介して、出力軸１７を減速回転させる。なお、ハンマー１８は前方に突出してアンビル部１９に係合する係合突部１８ａを備えている。通常、ハンマー１８は打撃用バネ２１の付勢により出力軸１７に一体的に連結されて出力軸１７と共に回転するのであり、そして係合突部１８ａのアンビル部１９への係合によってハンマー１８と共に出力部３を回転駆動させる。出力部３に逆回転方向に負荷がかかった場合には、アンビル部１９への係合突部１８ａの係合を受けてハンマー１８が打撃用バネ２１の付勢に抗って逆回転方向に回動しつつ後退していくのであり、そして、アンビル部１９から係合突部１８ａがずれるように後退してその係合状態が解除されると、打撃用バネ２１の弾性復帰によってハンマー１８が回転方向に回動しつつ前方に突出し、このときハンマー１８の係合突部１８ａがアンビル部１９に回転方向に勢い良くぶつかって、出力部３に打撃が与えられるようになっている。
【００１７】
切替え機構７は、電動工具本体１０に軸方向にスライド自在に設けた切替え操作杆２２と、切替え操作杆２２と駆動キャリア１５とを連結するバネ製の連結材２３とで構成された切替え操作部６に加えて、電動工具本体１０の軸方向にスライド自在にされた駆動キャリア１５、駆動キャリア１５に従動する従動キャリア１６、駆動キャリア１５と出力部３の突没体３１とを連結する連動棒８で構成されている。詳しくは、連動棒８は出力軸１７の中央に前後に亙って穿設した貫通孔１７ａに挿通されて配置されている。ここで、駆動キャリア１５は後部に大径部１５ａを有すると共に前部に小径部１５ｂを有している。大径部１５ａの外周には第２の減速部２０の遊星歯車１４ａに噛み合わせる歯車部２４が形成され、小径部１５ｂの外周には従動キャリア１６に一体に連結させる係合突起２５が形成されている。
【００１８】
切替え操作杆２２を後方に移動させると、図１（ａ）のように、駆動キャリア１５も共に後方に移動し、係合突起２５を介して駆動キャリア１５と従動キャリア１６とが一体に連結される。このとき、出力部３の突没体３１は、連動棒８を介して駆動キャリア１５と共に後方に移動し、出力部３の外殻体３０の内部に没入される。つまり、出力部３では第１の工具取付部２ａが使用可能な状態となっている。また、切替え操作杆２２を前方に移動させると、図１（ｂ）のように、駆動キャリア１５も共に前方に移動し、歯車部２４が第２の減速部２０の遊星歯車２０ａに噛合し、第２の減速部２０を介して駆動キャリア１５と従動キャリア１６とが接続される。このとき、出力部３の突没体３１は、連動棒８を介して駆動キャリア１５と共に前方に移動し、出力部３の外殻体３０の前端から前方に突出される。つまり、出力部３では第２の工具取付部２ｂが使用可能な状態となっている。
【００１９】
このように本例の電動工具１は、切替え機構７によって使用する工具に応じた工具取付部２を複数のうちから選択して出力部３に備えることができる。つまり、アダプタを使用しないでも複数の工具を出力部３に取り付けることができたものであり、施工作業を容易にすると共に、良好な施工仕上がりを期待できるのである。また、切替え機構７の工具取付部２の切替え操作によると、駆動キャリア１５と従動キャリア１６とが第２の減速部２０の介在の有無を自動的に選択して接続されるのであり、つまり切替え機構７の切替え操作に応じて出力部３の回転数やトルクを変化させる減速比切替え部９が作動するのであり、選択した工具取付部２（つまり使用する工具）に応じた出力部３の適正出力を確保することができるようになっている。
【００２０】
なお、上記例において、図４のように、出力部３に内部への塵埃の侵入を防止する塵埃浸入防止手段を備えることも好ましい。塵埃浸入防止手段としては、外殻体３０におけるストッパバネ配置用凹所３５の前端部分にＯリング３３を介してリング帯板状のスラスト板３４を配置し、スラスト板３４の内周を突没体３１の外周面に摺接させることで構成されている。これにより、塵埃が外殻体３０の内部に侵入することが防止され、出力部３の動作（工具取付部２の切替動作）の不具合を回避することができる。なお、図中３６は前後に貫通する筒状の外殻体３０の後開口に圧入して蓋をする圧入蓋であり、この圧入蓋には出力軸１７の前端を支持する凹所状の軸受部２６が形成され、この軸受部２６の底部には連動棒８を挿通させる挿通孔２７が穿設されている。
【００２１】
図５及び６には本発明の実施の形態の他例を示す。この例は出力部３に切替え機構７を収めた例である。すなわち、第１の工具取付部２ａを形成した外殻体３０の内部に第２の工具取付部２ｂを形成した突没体３１がラチェット機構を介して突没自在に収容されており、つまり、切替え操作部６となる第２の工具取付部２ｂを外殻体３０の内部に向けて押し込み操作することで、第２の工具取付部２ｂが外殻体３０から前方に突出した状態で保持されて第２の工具取付部２ｂを使用状態にしたり、第２の工具取付部２ｂが外殻体３０の内部に収納された状態で保持されて第１の工具取付部２ａを使用状態にすることが、順にできるようにされている。
【００２２】
詳しくは、筒状の外殻体３０の内部には規制筒体３７が固定されている。規制筒体３７は周方向に亙って後方に開口せる直角三角形状の規制溝３８が複数形成され、一つおきの規制溝３８には前方に伸びる長溝３９が連設されて長溝付き規制溝４０となっている。本例では計８個の規制溝３８が規制筒体３７の周方向に４５度ずつ位相をずらした位置に設けられており、計４個の長溝付き規制溝４０が規制筒体３７の周方向に４５度ずつ位相をずらした位置に設けられている。突没体３１の後端部には受台部４１が形成されている。受台部４１には周方向に亙って後方に開口せる二等辺三角形状の受溝４２が複数形成されている。本例では計８個の受溝４２が受台部４１の周方向に４５度ずつ位相をずらした位置に設けられている。突没体３１はストッパバネ３２による後方への付勢を受けて外殻体３０の内部に前方への抜け止めが施された上で配置される。なお、受台部４１は規制筒体３７の内部に前後にスライド可能にされている。また、外殻体３０の内部には、一端が圧入蓋３６に接地された押圧バネ４３による前方への付勢を受けて回転体４４が回転自在にして配置されている。なお、押圧バネ４３はストッパバネ３２よりもバネ係数が大きいものが使用される。この回転体４４の外周面には受溝４２や規制溝３８や長溝３９に係合可能な三角突起４５が突設されている。本例では計４個の三角突起４５が回転体４４の周方向に９０度ずつ位相をずらした位置に設けられている。
【００２３】
図６（ａ）は第２の工具取付部２ｂが外殻体３０の内部に収納保持されて第１の工具取付部２ａが使用状態になっている。この状態では回転体４４の三角突起４５が押圧バネ４３の付勢によって規制筒体３７の規制溝３８に係止しており、突没体３１はストッパバネ３２による後方への付勢を受けて外殻体３０の内部に保持されている。この状態から第２の工具取付部２ｂを外殻体３０の内方（後方）に押し込むと、図６（ｂ）のように押圧バネ４３の付勢に抗って受台部４１が回転体４４を後方へ押し込み、このとき三角突起４５は当接する受台部４１の規制溝３８の斜辺によって回転方向に力を受け、回転体４４を所定角度（本例では４５度）だけ回動させる。そして、第２の工具取付部２ｂに付加した押し込み力を解除すると、図６（ｃ）のように、上記所定角度だけ回動した回転体４４が押圧バネ４３の付勢を受けて前方に移動し、三角突起４５が規制筒体３７の長溝付き規制溝４０に導入される。続けて、図６（ｄ）のように、三角突起４５は上記長溝付き規制溝４０の長溝３９に導入され、押圧バネ４３の付勢を受けて回転体４４と共に受台部４１を前方に移動させる。つまり、突没体３１が前方に突出されて抜け止めが施されて保持された状態になるのであり、すなわち第２の工具取付部２ｂが外殻体３０から前方に突出した状態で保持されて、第２の工具取付部２ｂが使用状態になる。
【００２４】
この状態から第２の工具取付部２ｂを外殻体３０の内方（後方）に押し込むと、図６（ｅ）のように押圧バネ４３の付勢に抗って受台部４１が回転体４４を後方へ押し込み、このとき三角突起４５は当接する受台部４１の規制溝３８の斜辺によって回転方向に力を受け、回転体４４を所定角度（本例では４５度）だけ回動させる。そして、第２の工具取付部２ｂに付加した押し込み力を解除すると、図６（ｆ）のように、上記所定角度だけ回動した回転体４４が押圧バネ４３の付勢を受けて前方に移動し、三角突起４５が規制筒体３７の規制溝３８に導入されるのであり、三角突起４５が規制筒体３７の規制溝３８に係止されてストッパバネ３２の付勢により第２の工具取付部２ｂが外殻体３０の内部に収納保持され、第１の工具取付部２ａが使用状態になる図６（ａ）の状態に戻るのである。
【００２５】
このように出力部３に切替え操作部６を含めた切替え機構７を収めたことによると、切替え機構７が電動工具本体１０にまで至ることでの電動工具１の構成の複雑化を回避することができ、また、既存の電動工具１の出力部３を変更するだけで工具取付部２を切替え可能にした電動工具１を簡単に得ることができる、という利点を有する。
【００２６】
なお、本例の出力部３にも図４の例のようなＯリング３３やスラスト板３４を設けて、内部への塵埃の侵入を防止する塵埃浸入防止手段を備えることは可能であって好ましい。また、上記出力部３での切替え機構７による工具取付部２の切替え操作とは連動はしないものの、先例（図１）の連動棒８を無くした上で切替え操作杆２２による減速比切替え部９の操作機構を採用し、出力部３の出力切替えを行い得るようにすることも好ましい。
【図面の簡単な説明】
【００２７】
【図１】本発明の実施の形態の例の電動工具であり、（ａ）は第１の工具取付部の使用状態の要部（切替え機構）の側断面図であり、（ｂ）は第１の工具取付部の使用状態の要部（切替え機構）の側断面図である。
【図２】同上の電動工具の全体側面図である。
【図３】同上の電動工具の要部（切替え機構）の斜視図である。
【図４】本発明の実施の形態の他例の電動工具であり、（ａ）は出力部の側断面図であり、（ｂ）は出力部の分解斜視図である。
【図５】本発明の実施の形態の更に他例の電動工具における出力部の分解斜視図である。
【図６】（ａ）〜（ｆ）は同上の切替え機構の動作を順に追って説明する説明図である。
【符号の説明】
【００２８】
１  電動工具
２  工具取付部
２ａ  第１の工具取付部
２ｂ  第２の工具取付部
３  出力部
４  伝達機構
５  モータ
６  切替え操作部
７  切替え機構
８  連動棒
９  減速比切替え部
【図１】
2008155334.tif 000003
【図２】
2008155334.tif 000004
【図３】
2008155334.tif 000005
【図４】
2008155334.tif 000006
【図５】
2008155334.tif 000007
【図６】
2008155334.tif 000008